(57)【要約】【課題】映像ディスプレイスクリーンのためのカラーおよび白色照明機器のピクセル組合せについての方法およびシステムを提供すること。【解決手段】映像スクリーン、ディスプレイパネル、モジュール、またはその他の構成要素の1または2以上の発光ダイオード(LED)を駆動するための信号処理デバイスおよび方法が提供される。この信号処理デバイスおよび方法は、1または2以上のRGB-LEDおよび／または白色LEDを制御し、電力消費および費用を抑えると同時により良い均一性および明るさを伴う光を生成する。この信号処理デバイスおよび方法は、1または2以上の入力LED駆動信号に基づきマトリックス明度値を生成し、1または2以上の入力LED駆動信号に基づき補完明度値を生成し、マトリックス明度値および補完明度値に基づきLED駆動信号を生成し、1または2以上の入力LED駆動信号を遅延させて1または2以上の遅延LED駆動信号を生成することができる。【選択図】図３
2016126311.tif 000002
【特許請求の範囲】
【請求項１】
発光パネルを駆動するように構成される信号処理デバイスであって、
1または2以上の入力発光ダイオード(LED)駆動信号に基づきマトリックス明度値を生成するように構成されるマトリックス計算デバイスと、
前記1または2以上の入力LED駆動信号に基づき補完明度値を生成するように構成される最小値計算デバイスと、
前記マトリックス明度値および前記補完明度値に基づきLED駆動信号を生成するように構成される加算器とを備える、信号処理デバイス。
【請求項２】
前記加算器によって生成された前記LED駆動信号が、白色LED駆動信号である、請求項1に記載の信号処理デバイス。
【請求項３】
前記1または2以上の入力LED駆動信号を遅延させ、1または2以上の遅延LED駆動信号を生成するように構成される遅延デバイスをさらに備える、請求項1に記載の信号処理デバイス。
【請求項４】
前記1または2以上の入力LED駆動信号が、
前記発光パネルの赤-緑-青(RGB)-LEDを駆動するように構成される赤色入力LED駆動信号と、
前記発光パネルのRGB-LEDを駆動するように構成される緑色入力LED駆動信号と、
前記発光パネルのRGB-LEDを駆動するように構成される青色入力LED駆動信号とを含む、請求項1に記載の信号処理デバイス。
【請求項５】
前記マトリックス明度値に調整因子を掛け合わせて、調整マトリックス明度値を生成するように構成される第1の乗算器と、
前記補完明度値に1と前記調整因子の差を掛け合わせて、調整マトリックス明度値を生成するように構成される第2の乗算器とをさらに備える、請求項1に記載の信号処理デバイス。
【請求項６】
前記加算器が、前記調整マトリックス明度値および調整補完明度値に基づき前記LED駆動信号を生成するように構成される、請求項5に記載の信号処理デバイス。
【請求項７】
前記最小値計算デバイスが、1または2以上の入力LED駆動信号によって示される色を決定するとともに、前記色の決定に基づき前記補完明度値を生成するようにさらに構成される、請求項1に記載の信号処理デバイス。
【請求項８】
前記最小値計算デバイスは、前記1または2以上の入力LED駆動信号が原色または第二色を示すことを前記最小値計算デバイスが決定したことに応答して、最小値または実質的に最小である値を有するように前記補完明度値を生成するように構成される、請求項7に記載の信号処理デバイス。
【請求項９】
前記最小値計算デバイスは、前記1または2以上の入力LED駆動信号が第三色を示すことを前記最小値計算デバイスが決定したことに応答して、最大または実質的に最大である値を有するように前記補完明度値を生成するように構成される、請求項7に記載の信号処理デバイス。
【請求項１０】
前記発光パネルが、白色LEDの各々と赤-緑-青(RGB)-LEDの各々とが各行において、および各列において交互になるように、行および列に配列された前記白色LEDおよび前記RGB-LEDを備える、請求項1に記載の信号処理デバイス。
【請求項１１】
前記1または2以上の入力LED駆動信号を遅延させ、1または2以上の遅延LED駆動信号を生成するように構成される遅延デバイスをさらに備え、前記1または2以上の遅延LED駆動信号に基づき1または2以上の前記RGB-LEDを駆動するとともに、前記加算器によって生成された前記LED駆動信号に基づき1または2以上の前記白色LEDを駆動するように構成される、請求項10に記載の信号処理デバイス。
【請求項１２】
発光パネルを駆動するための信号処理方法であって、
1または2以上の入力発光ダイオード(LED)駆動信号に基づきマトリックス明度値を生成するステップと、
1または2以上の入力LED駆動信号に基づき補完明度値を生成するステップと、
前記マトリックス明度値および前記補完明度値に基づきLED駆動信号を生成するステップとを含む、信号処理方法。
【請求項１３】
前記LED駆動信号が白色LED駆動信号である、請求項12に記載の信号処理方法。
【請求項１４】
前記1または2以上の入力LED駆動信号を遅延させて、1または2以上の遅延LED駆動信号を生成するステップをさらに含む、請求項12に記載の信号処理方法。
【請求項１５】
前記1または2以上の入力LED駆動信号が、
前記発光パネルの赤-緑-青(RGB)-LEDを駆動するように構成される赤色入力LED駆動信号と、
前記発光パネルのRGB-LEDを駆動するように構成される緑色入力LED駆動信号と、
前記発光パネルのRGB-LEDを駆動するように構成される青色入力LED駆動信号とを含む、請求項12に記載の信号処理方法。
【請求項１６】
前記マトリックス明度値に調整因子を掛け合わせて、調整マトリックス明度値を生成するステップと、
前記補完明度値に1と前記調整因子の差を掛け合わせて、調整マトリックス明度値を生成するステップとをさらに含む、請求項12に記載の信号処理方法。
【請求項１７】
前記LED駆動信号を生成するステップが、前記調整マトリックス明度値および調整補完明度値に基づく、請求項16に記載の信号処理方法。
【請求項１８】
前記補完明度値を生成するステップが、
前記1または2以上の入力LED駆動信号によって示される色を決定するステップと、
前記色の決定に基づき前記補完明度値を生成するステップとを含む、請求項12に記載の信号処理方法。
【請求項１９】
前記補完明度値を生成するステップが、
前記1または2以上の入力LED駆動信号によって示される色が原色または第二色であることを決定したことに応答して、最小値または実質的に最小である値を有するように前記補完明度値を生成するステップを含む、請求項18に記載の信号処理方法。
【請求項２０】
前記補完明度値を生成するステップが、
前記1または2以上の入力LED駆動信号によって示される色が第三色であることを決定したことに応答して、最大または実質的に最大である値を有するように前記補完明度値を生成するステップを含む、請求項7に記載の信号処理デバイス。
【発明の詳細な説明】
【技術分野】
【０００１】
この出願は、2015年1月8日付の米国特許出願14/592,544号に対して優先権の利益を主張するものであり、参照によりその全体が本願明細書に組み込まれる。
【０００２】
本開示は、照明機器および方法に関する。また本開示は特に映像ディスプレイスクリーンのためのカラーおよび白色照明機器のピクセル組合せについての方法およびシステムに関する。
【背景技術】
【０００３】
映像ディスプレイは、その明るさおよび低電力要求を理由に発光ダイオード(LED)を使用し得る。LED映像スクリーンは、例えば、デジタル掲示板において使用され、例えば広告、テキストおよび／またはグラフィック情報メッセージ、ならびにライブまたは録画映像を表示することができる。LED映像スクリーンは、LEDディスプレイウォールとも呼ばれ、所定の数の制御可能なLEDの配置を有する1または2以上の独立したパネルおよび／またはインテリジェント・モジュール（IM）で構成される。このパネルおよび／またはモジュールは、それぞれ隣同士で取り付けられ、それらの出力は１つの大きなディスプレイスクリーンに見えるように制御される。
【０００４】
LED映像スクリーンにおいて使用されるLEDは、通常、赤、緑、および／または青(RGB)LEDであり、これらの出力は、(黒および白を含む)すべての認識可能な色を作成するための既知の原理に基づきRGB成分が混ぜ合わされるように、制御され得る。
【０００５】
一方で、RGB-LEDが白色光を放つように構成される場合、RGB-LEDの赤、緑、および青LEDのそれぞれは、白色光を生成するように各色を放つことが要求され、これはRGB-LEDの駆動電流を増加させる。さらに、モジュールおよびパネル等のために使用されるRGB-LEDは、例えば、それらの構造、製造のばらつき、および／またはその他の差異のために異なる色の波長を有する可能性がある。結果として、独立したパネルおよびモジュールのLEDは、パネルからパネルへの、およびモジュールからモジュールへの異なる出力色を有することがある。このようなばらつきは、RGB-LEDが白色を放つとともに1または2以上の第三および／または第二色をも放つように構成させ得る。さらに、RGB-LEDの独立した色は、近距離においてお互いを区別することが可能である。パネルは複数のRGB-LEDを備え、映像スクリーンは互いに隣に置かれた複数のパネルおよび／またはモジュールを備えるため、スクリーンの出力の均一性は、LEDバッチ間の色の違いによって影響され得る。さらに、RGB-LEDの費用は、白色LEDの費用よりも大きい。従って、白色光を放つように構成されるRGB-LEDを含むパネルは、白色LEDを含むパネルよりも高価である。
【０００６】
このように、電力消費および費用を抑えると同時により良い均一性および明るさを伴う白色光を生成することが可能な改良されたLEDパネルを提供する必要性が存在する。
【発明の概要】
【課題を解決するための手段】
【０００７】
上記問題を鑑み、ここで開示される1つの態様に基づく、信号処理デバイスが提供される。例示的な実施形態において、信号処理デバイスは、1または2以上の入力発光ダイオード(LED)駆動信号に基づき、マトリックス明度値を生成するように構成されるマトリックス計算デバイスと、1または2以上の入力LED駆動信号に基づき、補完明度値を生成するように構成される最小値計算デバイスと、マトリックス明度値および補完明度値に基づき、LED駆動信号を生成するように構成される加算器とを備える。例示的な実施形態において、信号処理デバイスは、1または2以上の入力LED駆動信号を遅延させ、1または2以上の遅延LED駆動信号を生成するように構成される遅延デバイスをさらに備えてもよい。例示的な実施形態において、加算器によって生成されたLED駆動信号は、白色LED駆動信号である。
【０００８】
例示的な実施形態において、信号処理デバイスは、マトリックス明度値に調整因子を掛け合わせて、調整マトリックス明度値を生成するように構成される第1の乗算器と、補完明度値に1と調整因子の差を掛け合わせ、調整マトリックス明度値を生成するように構成される第2の乗算器とを備える。この例では、加算器は、調整マトリックス明度値および調整補完明度値に基づいてLED駆動信号を生成するように構成されてもよい。
【０００９】
例示的な実施形態において、入力LED駆動信号は、発光パネルの赤-緑-青(RGB)-LEDを駆動するように構成される赤色入力LED駆動信号と、発光パネルのRGB-LEDを駆動させるように構成される緑色入力LED駆動信号と、発光パネルのRGB-LEDを駆動させるように構成される青色入力LED駆動信号とを含む。
【００１０】
例示的な実施形態において、最小値計算デバイスは、1または2以上の入力LED駆動信号によって示される色を決定するように構成されてよい。この例では、最小値計算デバイスは、色の決定に基づいて補完明度値を生成するように構成され得る。最小値計算デバイスは、1または2以上の入力LED駆動信号が原色または第二色を示すことを最小値計算デバイスが決定したことに応答して、最小値または実質的に最小である値を有するように補完明度値を生成するように構成されてもよい。最小値計算デバイスは、1または2以上の入力LED駆動信号が第三色を示すことを最小値計算デバイスが決定したことに応答して、最大または実質的に最大である値を有するように補完明度値を生成するように構成されてもよい。
【００１１】
例示的な実施形態において、信号処理デバイスは、白色LEDの各々とRGB-LEDの各々とが各列において、および各行において交互になるように、行および列で配列された白色LEDおよびRGB-LEDを備える発光パネルを駆動するように構成される。
【００１２】
例示的な実施形態において、映像処理方法が提供される。この映像処理方法は、1または2以上の入力LED駆動信号に基づきマトリックス明度値を生成するステップと、1または2以上の入力LED駆動信号に基づき補完明度値を生成するステップと、マトリックス明度値および補完明度値に基づきLED駆動信号を生成するステップと、1または2以上の入力LED駆動信号を遅延させ1または2以上の遅延LED駆動信号を生成するステップと、マトリックス明度値に調整因子を掛け合わせて調整マトリックス明度値を生成するステップと、補完明度値に1と調整因子の差を掛け合わせて調整マトリックス明度値を生成するステップとを含む。
【００１３】
例示的な実施形態において、LED駆動信号を生成するステップは、調整マトリックス明度値および調整補完明度値に基づく。例示的な実施形態において、補完明度値を生成するステップは、1または2以上の入力LED駆動信号によって示される色を決定するステップと、前記色の決定に基づき補完明度値を生成するステップとを含む。例示的な実施形態において、補完明度値を生成するステップは、1または2以上の入力LED駆動信号によって示される色が原色または第二色であることを決定したことに応答して、最小値または実質的に最小である値を有するように補完明度値を生成するステップを含む。例示的な実施形態において、補完明度値を生成するステップは、1または2以上の入力LED駆動信号によって示される色が第三色であることを決定したことに応答して、最大または実質的に最大である値を有するように補完明度値を生成するステップと含む。
【００１４】
ここに組み込まれ本明細書の一部を構成する添付の図面は、説明とともに本開示の実施形態を説明し、さらには、実施形態の原理を説明し、当業者が実施形態を作ることおよび使用することを可能にする役目をもつ。図面は単に説明のためであり、縮尺通りに必ずしも描かれていない。一方で、本開示自体は、添付の図面と併用されながら以下の発明の詳細な説明を参照することによって、できる限り説明され得る。
【図面の簡単な説明】
【００１５】
【図１】本開示の例示的な実施形態に基づくLEDパネルを示す図である。
【図２】本発明の例示的な実施形態に基づくLEDパネルを示す図である。
【図３】本開示の例示的な実施形態に基づく信号処理デバイスを示す図である。
【図４】本開示の例示的な実施形態に基づく信号処理方法を示す図である。
【発明を実施するための形態】
【００１６】
本発明の実施形態が添付の図面を参照して説明される。構成要素が初めに出てきた図面は、対応する参照符号の最も左の桁によって典型的に示される。
【００１７】
以下の説明では多くの特定の詳細が、本開示の実施形態の十分な理解を提供するために説明される。一方で、構成、システム、および方法を含む実施形態がそれらの特定の詳細なしに実施可能であることは当業者にとって明らかである。ここにおける説明および表示は、他の当業者に研究の本質を最も効果的に伝えるように、経験者および当業者によって使用される一般的な手段である。その他において、周知の方法、手順、構成要素および回路は、開示の態様を不必要に不明確にすることを避けるために詳細には説明されない。
【００１８】
ここでの説明のために、語句「処理回路」は、1または2以上の回路、プロセッサ、またはそれらの組み合わせであると理解される。例えば、回路は、アナログ回路、デジタル回路、状態機械論理回路、その他の構造的電気ハードウェア、またはそれらの組み合わせを含み得る。プロセッサは、マイクロプロセッサ、デジタル信号プロセッサ(DSP)、またはその他のハードウェアを含み得る。プロセッサは、命令を用いてハードコードされ、ここで説明される実施形態に基づく対応する機能を行う。代替的に、プロセッサは、内部および／または外部メモリにアクセスし、メモリ内に記録された命令を検索することができ、この命令はプロセッサによって実行されるときにプロセッサに関連付けられた対応する機能を行う。
【００１９】
図1は、本開示の例示的な実施形態に基づく、RGB-LED110.1〜110.nで構成されるパネル100を示す。上記したように、RGB-LED110のそれぞれは、1または2以上の赤色LED112、1または2以上の緑色LED114、および1または2以上の青色LED116を含む。赤色LED112、緑色LED114、および青色LED116の出力は、(黒および白を含む)すべての認識可能な色を作成するための既知の原理に基づき、赤、緑、および青のそれぞれの成分が混ぜ合わされるように制御され得る。
【００２０】
LEDパネル100は、RGB-LED110が配置されるプリント回路基板(PCB)105を含み、1または2以上の電源および／またはLED駆動回路(図示せず)に電気的に接続されるように構成される。例えば、電源および／またはLED駆動回路は、PCB105の上に配置されてよく、PCB105上および／またはPCB105内の1または2以上の電気的な接続を介してRGB-LED110に電気的に接続される。代替的に、電源および／またはLED駆動回路は、PCB105に対して外部に、例えばPCB105に電気的に接続される他のPCB上に位置してもよい。
【００２１】
図2は、本開示の例示的な実施形態に基づくLEDパネル200を示す。例示的な実施形態において、LEDパネル200は、RGB-LED210.1〜210.mおよび白色LED220.1〜220.nを含む。例示的な実施形態において、LEDパネル200は、同数のRGB-LEDおよび白色LED(つまりm = n)を含む。一方で、LEDパネル200は、同数のRGB-LED210および白色LED220を有する構成に限定されるものではなく、LEDパネル200は、当業者であれば理解するように本開示の趣旨および範囲から逸脱しないせずに、異なる数のRGB-LED210および白色LED220を含んでもよい。
【００２２】
LEDパネル200は、1または2以上の電源および／またはLED駆動回路(図示せず)に電気的に接続されるように構成されるRGB-LED210および白色LED220が配置されるプリント回路基板(PCB)205を備え。例示的な実施形態において、LEDパネルは、RGB-LED210および白色LED220の出力を制御するように構成される信号処理デバイスに電気的に接続される。例えば、(RGB-LED210および白色LED220を含む)LEDパネル200は、図3で示されるとともに以下で詳細に説明される信号処理デバイス300に電気的に接続され、制御される。
【００２３】
例示的な実施形態において、RGB-LED210の各々は、1または2以上の赤色LED212、1または2以上の緑色LED214、および1または2以上の青色LED216を含む。白色LED220は、白色光を放つように構成される1または2以上の白色LED222を含んでよい。例示的な実施形態において、RGB-LED210の出力(赤色LED112、緑色LED114、および青色LED116の各々の出力を含む)および／または白色LED220の出力(白色LED222の各々の出力を含む)は白色光を生成するように制御され得る。LEDパネル200によって生成される白色光は、電力消費および費用を抑えると同時により良い均一性および明るさを伴って生成され得る。LEDパネル200は白色光を生成することに限定されず、当業者が理解するように本開示の趣旨及び範囲から逸脱せずに、1または2以上の他の色の光を生成するように構成され得る。
【００２４】
例示的な実施形態において、LEDパネル200の各行および各列が、交互するRGB-LED210および白色LED220を含むようにLEDパネル200のRGB-LED210および白色LED220は配列されてよい。例えば、LEDパネル200の境界に位置するRGB-LED210および白色LED220は考えずに、LEDパネル200の各RGB-LED210は8つのLEDつまり、例えば0°、90°、180°、および360°に位置する4つの白色LED220ならびに例えば45°、135°、225°、および315°に位置する4つRGB-LED210に囲まれてよい。同様に、LEDパネル200の各白色LED220は、8つのLEDつまり、例えば0°、90°、180°、および360°に位置する4つのRGB-LED210ならびに例えば45°、135°、225°、および315°に位置する4つ白色LED220に囲まれてよい。この例では、境界のLEDは、境界のLEDの両サイドにおいて同様に配列される周辺LEDを有することができ、このような周辺LEDはLEDパネル200に含まれる。RGB-LED210および白色LED220の配列は、この例示的な実施形態に限定されるものではなく、RGB-LED210および白色LED220は1または2以上の他の配列で配置されることもでき、他の配列は、例えば、RGB-LED210の行／列と白色LED210の行／列とが交互すること、および／または当業者が理解するであろう1または2以上の他の配列を含む。
【００２５】
図3は、本開示の例示的な実施形態に基づく信号処理デバイス300を示す。信号処理デバイス300は、入力RGB-LED駆動信号RIN、GIN、およびBIに基づき白色LED駆動信号WおよびRGB-LED駆動信号R、G、およびBを生成し、1または2以上のRGB-LED(例えば、RGB-LED210)および／または1または2以上の白色LED(例えば、白色LED220)を駆動する。例示的な実施形態において、信号処理デバイス300は、マトリックス計算デバイス310、最小値計算デバイス320、遅延デバイス330、乗算器335、乗算器340、および加算器345を含む。
【００２６】
例示的な実施形態において、マトリックス計算デバイス310は、1または2以上のLED駆動信号に基づいてマトリックス明度値YMATRIXを生成するように構成される1または2以上のプロセッサ、回路、および／または論理回路を含む。例えば、マトリックス計算デバイス310は、例えばRGB-LED駆動回路(図示せず)によって生成されるRGB-LED駆動信号RIN、GIN、およびBINに基づきマトリックス明度値YMATRIXを生成するように構成され得る。この例において、マトリックス計算デバイス310は、RGB-LEDを駆動するための対応するRGB駆動信号を、白色LEDを駆動するように構成される信号に変換する。
【００２７】
例示的な実施形態において、最小値計算デバイス320は、1または2以上のLED駆動信号に基づき補完明度値YMINを生成するように構成される1または2以上のプロセッサ、回路、および／または論理回路を含む。例えば、最小値計算デバイス320は、例えばRGB-LED駆動回路(図示せず)によって生成されたRGB-LED駆動信号RIN、GIN、およびBINに基づき補完明度値YMINを生成するように構成され得る。この例では、最小値計算デバイス320は、RGB-LEDを駆動するための対応するRGB駆動信号を、白色LEDを駆動するように構成される補完信号に変換する。例示的な実施形態において、最小値計算デバイス320は、RGB-LED駆動信号RIN、GIN、およびBINによって示される1または2以上の色を決定し、決定された色に基づき補完明度値YMINを生成するように構成され得る。
【００２８】
例示的な実施形態において、最小値計算デバイス320は、入力RGB-LED駆動信号RIN、GIN、およびBINが集合として例えば原色(例えば、赤、緑、もしくは青)に対応する場合、または入力RGB-LED駆動信号RIN、GIN、およびBINが集合として例えば第二色(例えば、黄、マゼンダ、またはシアン)に対応する場合、0の値または実質的に0の値を有する補完明度値YMINを生成するように構成され得る。例示的な実施形態において、最小値計算デバイス320は、入力RGB-LED駆動信号RIN、GIN、およびBINが集合として例えば第三色(オレンジ(orange)、若草色(chartreuse green)、新緑色(spring green)、藍色(violet)、およびバラ色(rose))に対応する場合、増加された補完明度値YMINを生成するように構成される。つまり動作において、最小値計算デバイス320は、第三色のためのマトリックス計算デバイス310によって生成されるマトリックス明度値YMATRIXを補完するために補完明度値YMINを生成することができるが、一方で、原色および／または第二色のためのマトリックス明度値YMATRIXを補完する補完明度値YMINを生成することはしない（または最小限に補完する信号を生成する）。
【００２９】
例示的な実施形態において、最小値計算デバイス320は、原色または第二色に集合として対応する入力RGB-LED駆動信号RIN、GIN、およびBINに対して最小値または実質的に最小である値を有する補完明度値を生成するとともに、第三色に集合として対応する入力RGB-LED駆動信号RIN、GIN、およびBIN対して最大または実質的に最大である値を有する補完明度値を生成するように構成され得る。
【００３０】
これらの例では、第三色は、原色と第二色と混ぜることによって作られる色、2つの第二色を混ぜることによって作られる色、および／または第1の原色の最大の彩度のもの(full saturation)と第2の原色の半分の彩度のもの(half saturation)および第3の原色の彩度0のもの(zero saturation)を混ぜることによって作られる色として定義される。
【００３１】
乗算器335および乗算器340は、それぞれ2以上の入力を共に掛け合わせて乗算出力を生成するように構成される1または2以上のプロセッサ、回路、および／または論理回路を含む。加算器345は、2以上の入力をともに足し合わせて加算出力を生成するように構成される1または2以上のプロセッサ、回路、および／または論理回路を含む。
【００３２】
例示的な実施形態において、乗算器335は、マトリックス計算デバイス310によって生成されたマトリックス明度値YMATRIXに調整因子を掛け合わせて調整マトリックス明度値
【数１】
2016126311.tif 000003
を生成するように構成され得る。乗算器340は、最小値計算デバイス320によって生成された補完明度値YMINに差1-Kを掛け合わせて調整補完明度値
【数２】
2016126311.tif 000004
を生成するように構成され得る。例示的な実施形態において、調整因子Kは、0≦K≦1の値を有する。動作において、調整因子Kは、退色(color fading)および／または点粗度(dot roughness)を低減するように設定され得る。加算器345は、調整マトリックス明度値
【数３】
2016126311.tif 000005
に調整補完明度値
【数４】
2016126311.tif 000006
を足し合わせ、白色LED駆動信号Wを生成するように構成され得る。
【００３３】
例示的な実施形態において、白色LED駆動信号Wは、以下のように示される。
W = (YMATRIX × K) + (YMIN × (1 - K)) ・・・・（等式１）
ここで、Kは、0≦K≦1の値を有する調整因子であり、YMATRIXはマトリックス明度値であり、YMINは補完明度値である。
【００３４】
遅延デバイス330は、1または2以上の入力信号を受信し、所定の時間値および／または最適に更新された時間値だけ入力信号を遅延させるように構成される1または2以上のプロセッサ、回路、および／または論理回路を含む。例示的な実施形態において、遅延デバイス330は、入力RGB-LED駆動信号RIN、GIN、およびBINを受信し、入力RGB-LED駆動信号RIN、GIN、およびBINを時間遅延λだけ遅延させ、RGB-LED駆動信号R、G、およびBを生成するように構成され得る。例示的な実施形態において、時間遅延λの値は、マトリックス計算デバイス310、最小値計算デバイス320、乗算器335、乗算器340、および加算器345によって入力RGB-LED駆動信号RIN、GIN、およびBINにもたらされた合計の時間遅延に対応するように設定および／または調整されてよい。
【００３５】
例示的な実施形態において、信号処理デバイス300は、RGB-LED駆動信号RIN、GIN、およびBINに基づき白色LED駆動信号WおよびRGB-LED駆動信号R、G、およびBを生成し、図2のLEDパネル200の1または2以上のRGB-LED210および1または2以上の白色LED220を駆動する。
【００３６】
図4は、本開示の例示的な実施形態に基づく信号処理方法フローチャート400を示す。1または2以上の図1から3を引き続き参照しながらフローチャート400の方法が説明される。フローチャート400のステップは下記の順番に制限されることはなく、様々なステップが異なる順番によって行われてよい。さらに、フローチャート400の方法の2以上のステップは、互いに同時に行われてよい。
【００３７】
フローチャート400の方法は、ステップ405において開始され、ここで1または2以上のマトリックス明度値YMATRIXが、入力RGB-LED駆動信号RIN、GIN、およびBINに基づき生成される。例示的な実施形態において、マトリックス計算デバイス310は、例えば1または2以上のLEDドライバーから受信した入力RGB-LED駆動信号RIN、GIN、およびBINに基づき1または2以上のマトリックス明度値YMATRIXを生成するように構成され得る。
【００３８】
ステップ405の後、フローチャート400の方法はステップ410に移行し、ここで1または2以上の補完明度値YMINが入力RGB-LED駆動信号RIN、GIN、およびBINに基づき生成される。例示的な実施形態において、最小値計算デバイス320は、1または2以上のLEDドライバーから受信した入力RGB-LED駆動信号RIN、GIN、およびBINに基づき1または2以上の補完明度値YMINを生成するように構成され得る。例示的な実施形態において、最小値計算デバイス320は、入力RGB-LED駆動信号RIN、GIN、およびBINが集合として原色または第二色に対応するか否かに基づき、および／または入力RGB-LED駆動信号RIN、GIN、およびBINが集合として第三色に対応するか否かに基づき、1または2以上の補完明度値YMINを生成するように構成され得る。
【００３９】
ステップ410の後、フローチャート400の方法は、ステップ415に移行し、ここでマトリックス明度値YMATRIXが、1または2以上の調整マトリックス明度値
【数５】
2016126311.tif 000007
を生成するために調整される。例示的な実施形態において、乗算器335は、マトリックス計算デバイス310によって生成されたマトリックス明度値YMATRIXに調整因子を掛け合わせて、調整マトリックス明度値
【数６】
2016126311.tif 000008
を生成するように構成され得る。
【００４０】
ステップ415の後、フローチャート400の方法は、ステップ420に移行し、ここで補完明度値YMINが、1または2以上の調整補完明度値
【数７】
2016126311.tif 000009
を生成するために調整される。例示的な実施形態において、乗算器340は、最小値計算デバイス320によって生成される補完明度値YMINに差1-Kを掛け合わせて調整補完明度値
【数８】
2016126311.tif 000010
を生成するように構成され得る。
【００４１】
ステップ420の後に、フローチャート400の方法はステップ425に移行し、ここで1または2以上の白色LED駆動信号Wが生成される。例示的な実施形態において、加算器345は、調整マトリックス明度値
【数９】
2016126311.tif 000011
を調整補完明度値
【数１０】
2016126311.tif 000012
と足し合わせて、白色LED駆動信号Wを生成するように構成され得る。
【００４２】
ステップ425の後にフローチャート400の方法はステップ430に移行し、ここで、RGB-LED駆動信号R、G、およびBが入力RGB-LED駆動信号RIN、GIN、およびBINに基づき生成される。例示的な実施形態において、遅延デバイス330は、入力RGB-LED駆動信号RIN、GIN、およびBINを時間遅延だけ遅延させ、RGB-LED駆動信号R、G、およびBを生成するように構成され得る。生成されたRGB-LED駆動信号R、G、およびBならびに白色LED駆動信号Wは、例えばLEDパネル200に提供され、1または2以上のRGB-LED210および／または1または2以上の白色LED220を駆動する。
【００４３】
特定の実施形態の上記の説明は、本開示の全体的な考えから逸脱することなく、また必要以上の実験なしに、特定の実施形態のような様々な応用のために本分野の知識を適用することによって容易にその他は変更および／または順応させることが可能であるこという本開示の一般的な特性を完全に開示する。従って、このような適合および変更はここで示された教示および説明に基づき開示された実施形態の等価物を意味し、その範囲内であることが意図される。ここでの語法または専門用語は、説明の目的のためのものであり限定を意図するものではなく、本明細書の語法または専門用語は、教示および説明の観点から当業者が解釈するためのものである。
【００４４】
本明細書での「1つの実施形態」、「実施形態」、および「例示的な実施形態」等は、説明された実施形態が特定の特徴、構成、または性質を含み得ることを示すが、全ての実施形態が特定の特徴、構成、または性質を含まなくてもよい。さらに、このような語句は必ずしも同じ実施形態を示す必要はない。さらに、実施形態と関連して特定の特徴、構成、または性質が述べられた場合、明示的に説明されたかどうかに関わらずその他の実施形態に関連する、そのような特徴、構成、または性質に影響を与えることは当業者の知識内のことである。
【００４５】
ここで説明された例示的な実施形態は説明の目的に提供されたものであり、限定を目的にしない。その他の実施形態もあり得、変更が例示的な実施形態に対して可能である。従って、本明細書は本開示を限定することを意味しない。むしろ、本開示の範囲は、添付の特許請求の範囲およびその等価な物に従ってのみ定められる。
【００４６】
実施形態は、ハードウェア(例えば、回路)、フォームウェア、ソフトウェア、またはそれらの組み合わせにおいて実施可能である。実施形態は、1または2以上のプロセッサによって読み取られ実行可能な機械読取可能媒体に記録される命令として実施することも可能である。機械読取可能媒体は、機械(例えば、コンピューティングデバイス)によって読み取り可能な形で情報を記録、または送信するためのどのようなメカニズムも含む。例えば、機械読取可能媒体は、読み出し専用メモリ(ROM)、ランダムアクセスメモリ(RAM)、磁気ディスク記録媒体、光記録媒体、フラッシュメモリデバイス、および電気、光、音響またはその他のかたちでの伝搬する信号(例えば、搬送波、赤外線信号、デジタル信号)等を含んでよい。さらに、ここではフォームウェア、ソフトウェア、ルーチン、および命令は、ある動作を実行するとして説明され得る。一方でこのような記載は単に便宜上のためであって、動作が、フォームウェア、ソフトウェア、ルーチン、および命令等を実行するコンピューティングデバイス、プロセッサ、コントローラ、またはその他のデバイスに実際には由来することは明らかである。さらにどんな実施の変形が汎用コンピュータによって実行されてよい。
【００４７】
1または2以上のプロセッサを含む1または2以上の構成要素を有する実施形態において、1または2以上のプロセッサは、ここにおいて説明されたように、および／または当業者にとって認められるように、プロセッサによって実行された場合にプロセッサに、対応する構成要素の動作に関する1または2以上の機能および／または動作を行わせる命令および／またはコードを記録する1または2以上の内部および／または外部メモリを含む(および／または、このメモリにアクセスするように構成される)ことが可能である。
【００４８】
本開示は、特定の機能およびそれらの関係性の実施を説明する機能ブロックを用いて以上において説明された。これらの機能ブロックの境界は、説明の便宜のためにここにおいて任意に定められたものである。特定の機能およびそれらの関係性が適切に行われる限り、代替的な境界が定められてよい。
【符号の説明】
【００４９】
１００  パネル
１０５  プリント回路基板（ＰＣＢ）
１１０  赤-緑-青発光ダイオード(RGB-LED)
２００  パネル
２０５  プリント回路基板（ＰＣＢ）
２１０  RGB-LED
２２０  白色LED
３００  信号処理デバイス
３１０  マトリックス計算デバイス
３２０  最小値計算デバイス
３３０  遅延デバイス
３３５  乗算器
３４０  乗算器
３４５  加算器
W  白色LED駆動信号
R，G，B  RGB-LED駆動信号
RIN，GIN，BIN  入力RGB-LED駆動信号
YMATRIX  マトリックス明度値
YMIN  補完明度値
【図１】
2016126311.tif 000013
【図２】
2016126311.tif 000014
【図３】
2016126311.tif 000015
【図４】
2016126311.tif 000016
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
発光パネルを駆動するように構成される信号処理デバイスであって、
1または2以上の入力発光ダイオード(LED)駆動信号に基づき明度値を生成するように構成されるマトリックス計算デバイスであって、
前記1または2以上の入力LED駆動信号が、前記発光パネルの赤-緑-青(RGB)-LEDを駆動するように構成される赤色入力LED駆動信号と、前記発光パネルのRGB-LEDを駆動するように構成される緑色入力LED駆動信号と、前記発光パネルのRGB-LEDを駆動するように構成される青色入力LED駆動信号とを含む、マトリックス計算デバイスと、
前記1または2以上の入力LED駆動信号に基づき補完明度値を生成するように構成される計算デバイスと、
前記明度値および前記補完明度値に基づきLED駆動信号を生成するように構成される加算器とを備え、
前記計算デバイスは、
前記1または2以上の入力LED駆動信号によって示される色を、前記赤色入力LED駆動信号、緑色入力LED駆動信号、および前記青色入力LED駆動信号に基づき判定し、
前記1または2以上の入力LED駆動信号が、三原色のうちの１つを示す、または前記三原色のうちの2つを混ぜてできる第二色を示すことを前記計算デバイスが判定したことに応答して、最小値または実質的に最小である値を有するように前記補完明度値を生成し、
前記1または2以上の入力LED駆動信号が第三色を示すことを前記計算デバイスが判定したことに応答して、最大または実質的に最大である値を有するように前記補完明度値を生成するようにさらに構成される、信号処理デバイス。
【請求項２】
前記加算器によって生成された前記LED駆動信号が、白色LED駆動信号である、請求項1に記載の信号処理デバイス。
【請求項３】
前記1または2以上の入力LED駆動信号を遅延させ、1または2以上の遅延LED駆動信号を生成するように構成される遅延デバイスをさらに備える、請求項1に記載の信号処理デバイス。
【請求項４】
前記明度値に調整因子を掛け合わせて、調整明度値を生成するように構成される第1の乗算器と、
前記補完明度値に1と前記調整因子との差を掛け合わせて、調整補完明度値を生成するように構成される第2の乗算器とをさらに備える、請求項1に記載の信号処理デバイス。
【請求項５】
前記加算器が、前記調整明度値および前記調整補完明度値に基づき前記LED駆動信号を生成するように構成される、請求項4に記載の信号処理デバイス。
【請求項６】
前記発光パネルが、白色LEDの各々と赤-緑-青(RGB)-LEDの各々とが各行において、および各列において交互になるように、行および列に配列された前記白色LEDおよび前記RGB-LEDを備える、請求項1に記載の信号処理デバイス。
【請求項７】
前記1または2以上の入力LED駆動信号を遅延させ、1または2以上の遅延LED駆動信号を生成するように構成される遅延デバイスをさらに備え、前記1または2以上の遅延LED駆動信号に基づき1または2以上の前記RGB-LEDを駆動するとともに、前記加算器によって生成された前記LED駆動信号に基づき1または2以上の前記白色LEDを駆動するように構成される、請求項6に記載の信号処理デバイス。
【請求項８】
発光パネルを駆動するための信号処理方法であって、
1または2以上の入力発光ダイオード(LED)駆動信号に基づき明度値を生成するステップであって、
前記1または2以上の入力LED駆動信号が、前記発光パネルの赤-緑-青(RGB)-LEDを駆動するように構成される赤色入力LED駆動信号と、前記発光パネルのRGB-LEDを駆動するように構成される緑色入力LED駆動信号と、前記発光パネルのRGB-LEDを駆動するように構成される青色入力LED駆動信号とを含む、ステップと、
前記1または2以上の入力LED駆動信号に基づき補完明度値を生成するステップと、
前記明度値および前記補完明度値に基づきLED駆動信号を生成するステップとを含み、
前記補完明度値を生成するステップが、
前記1または2以上の入力LED駆動信号によって示される色を、前記赤色入力LED駆動信号、緑色入力LED駆動信号、および前記青色入力LED駆動信号に基づき判定するステップと、
前記1または2以上の入力LED駆動信号が、三原色のうちの１つを示す、または前記三原色のうちの2つを混ぜてできる第二色を示すことを判定したことに応答して、最小値または実質的に最小である値を有するように前記補完明度値を生成するステップと、
前記1または2以上の入力LED駆動信号が第三色を示すことを判定したことに応答して、最大または実質的に最大である値を有するように前記補完明度値を生成するステップと
を含む、信号処理方法。
【請求項９】
前記LED駆動信号が白色LED駆動信号である、請求項8に記載の信号処理方法。
【請求項１０】
前記1または2以上の入力LED駆動信号を遅延させて、1または2以上の遅延LED駆動信号を生成するステップをさらに含む、請求項8に記載の信号処理方法。
【請求項１１】
前記明度値に調整因子を掛け合わせて、調整明度値を生成するステップと、
前記補完明度値に1と前記調整因子との差を掛け合わせて、調整補完明度値を生成するステップとをさらに含む、請求項8に記載の信号処理方法。
【請求項１２】
前記LED駆動信号を生成するステップが、前記調整明度値および前記調整補完明度値に基づく、請求項11に記載の信号処理方法。
【外国語明細書】
2016126311000001.pdf